(57)【要約】  ランプは、光学的放射線を発するのに適している少なくとも１つの光源と、少なくとも１つの走査ミラーと、蛍光性物体と、前記光源から前記走査ミラーによって前記蛍光性物体上へ向けられている前記光学的放射線の少なくとも一部を前記ランプの出力部へ伝達するための光学手段とを有する。前記蛍光性物体は、プレート状であり、前記光学手段は、少なくとも１つのレンズを有し、前記プレート状蛍光性物体の各部は、前記少なくとも１つのレンズによって、前記ランプの前記出力部へ所定の方向に投影されることができる。
2017504075.tif 000002
【特許請求の範囲】
【請求項１】
ランプであり、光学的放射線を発するのに適している少なくとも１つの光源と、少なくとも１つの走査ミラーと、蛍光性物体と、前記光源から前記走査ミラーによって前記蛍光性物体上へ向けられている前記光学的放射線の少なくとも一部を前記ランプの出力部へ伝達するための光学手段とを有するランプであって、前記蛍光性物体が、プレート状であり、前記光学手段が、少なくとも１つのレンズを有し、前記プレート状蛍光性物体の各部が、前記少なくとも１つのレンズによって、前記ランプの前記出力部へ所定の方向に投影されることができ、前記プレート状蛍光性物体が、前記プレート状蛍光性物体に対して垂直に延在する中心軸を中心にして回転可能であり、前記中心軸が、前記少なくとも１つのレンズの光軸と一致することを特徴とするランプ。
【請求項２】
前記プレート状蛍光性物体が、透過性であり、それによって、前記光源からの光学的放射線が、前記プレート状蛍光性物体を通って、前記少なくとも１つのレンズへ伝達される請求項１に記載のランプ。
【請求項３】
前記プレート状蛍光性物体の、光学的に前記光源の方へ向けられている側に、反射性偏光フィルタが配置される請求項２に記載のランプ。
【請求項４】
前記光源が、右円偏光又は左円偏光した光学的放射線を発するのに適しており、前記反射性偏光フィルタが、反射性円偏光フィルタである請求項３に記載のランプ。
【請求項５】
前記プレート状蛍光性物体の、光学的に前記光源の方へ向けられている側に、ダイクロイックフィルタが配置される請求項２に記載のランプ。
【請求項６】
前記プレート状蛍光性物体が、反射性であり、それによって、前記光源からの光学的放射線が、前記プレート状蛍光性物体によって、前記少なくとも１つのレンズへ反射される請求項１に記載のランプ。
【請求項７】
前記光源が、光学的に、前記プレート状蛍光性物体の第１の側に配置され、前記少なくとも１つのレンズが、光学的に、前記プレート状蛍光性物体の第２の側に配置され、前記プレート状蛍光性物体が、前記光源によって発せられる光学的放射線を前記第１の側から前記第２の側へ案内するための開口部を具備する請求項６に記載のランプ。
【請求項８】
前記少なくとも１つの走査ミラーが、前記少なくとも１つのレンズと前記第２の側との間に配置される請求項７に記載のランプ。
【請求項９】
前記少なくとも１つの走査ミラーが、前記第１の側に配置され、前記少なくとも１つのレンズと前記第２の側との間に付加的なミラーが配置される請求項７に記載のランプ。
【請求項１０】
前記プレート状蛍光性物体が、様々な蛍光体を所定のパターンで具備する請求項１乃至９のいずれか一項に記載のランプ。
【請求項１１】
前記光源が、ＵＶレーザである請求項１乃至１０のいずれか一項に記載のランプ。
【請求項１２】
前記光源が、強度において変調されることができる請求項１乃至１１のいずれか一項に記載のランプ。
【請求項１３】
前記光源によって発せられる前記光学的放射線の波長が調節可能である請求項１乃至１２のいずれか一項に記載のランプ。
【請求項１４】
前記ランプが、前記レーザ、前記少なくとも１つの走査ミラー、及び／又は前記プレート状蛍光性物体に対して垂直に延在する中心軸を中心とする前記プレート状蛍光性物体の回転を制御するための制御装置を有し、前記中心軸が、前記少なくとも１つのレンズの前記光軸と一致する請求項１乃至１３のいずれか一項に記載のランプ。
【請求項１５】
ランプを用いる方法であって、
ａ）  光源によって光学的放射線を発するステップと、
ｂ）  中心軸を中心とするプレート状蛍光性物体の回転を制御するステップと、
ｃ）  光学的放射線の少なくとも一部を、少なくとも１つの走査ミラー、前記プレート状蛍光性物体及び少なくとも１つのレンズを介して、請求項１乃至１４のいずれか一項に記載のランプの出力部へ伝達するステップとを有する方法。
【発明の詳細な説明】
【技術分野】
【０００１】
本発明は、ランプであって、光学的放射線を発するのに適している少なくとも１つの光源と、少なくとも１つの走査ミラーと、蛍光性物体と、前記光源から前記走査ミラーによって前記蛍光性物体上へ向けられている前記光学的放射線の少なくとも一部を前記ランプの出力部へ伝達するための光学手段とを有するランプに関する。
【０００２】
本発明は、このようなランプを用いるための方法にも関する。
【背景技術】
【０００３】
US20120026721A1は、レーザと、蛍光性物体と、放物面反射器とを有するランプであって、前記レーザによって発せられる光学的放射線が、前記蛍光性物体によって可視光に変換され、前記可視光が、前記放物面反射器によって前記ランプの出力部へ反射されるランプを開示している。前記蛍光性物体は、長手方向円筒形ボディを有する。US20120026721A1によるランプによれば、前記レーザは、前記蛍光性物体にわたって前記レーザビームを走査し又は広げ、ビームプロファイルにおいてわずかな変化をもたらす走査ミラーを含み得る。
【０００４】
US20120026721A1によるランプによれば、前記ビームプロファイルは、わずかにしか変更されることができない。前記わずかな変化では、前記ビームのコリメーションは、わずかにしか適応されることができない。前記ビームの中心は、調節されることができず、前記ビームは、幾つかのビームに分けられることもできない。
【０００５】
US2011249460A1は、２つのＭＥＭＳミラーの方へ放射線を発する２つの青色レーザを有するランプであって、前記２つのＭＥＭＳミラーが、所定の光分布パターンに対応する前記放射線を蛍光体パネル上へ反射し、前記パターンが、その後、投影レンズを介して発光方向に投影されるランプを開示している。
【発明の概要】
【発明が解決しようとする課題】
【０００６】
本発明の主な目的は、従来技術の上述の及び他の不利な点を考慮して、正方形、ロゴなどのような相対的に複雑な光ビーム形態又は再方向付け可能なスポットを作成するためのランプを提供することである。
【課題を解決するための手段】
【０００７】
第１の態様によれば、本発明は、前記蛍光性物体が、プレート状であり、前記光学手段が、少なくとも１つのレンズを有し、前記プレート状蛍光性物体の各部が、前記少なくとも１つのレンズによって、前記ランプの前記出力部へ所定の方向に投影されることができ、前記プレート状蛍光性物体が、前記プレート状蛍光性物体に対して垂直に延在する中心軸を中心にして回転可能であり、前記中心軸が、前記少なくとも１つのレンズの光軸と一致するランプを提供する。
【０００８】
前記光源の前記光学的放射線は、前記少なくとも１つの走査ミラーによって、前記プレート状蛍光性物体の各部へ向けられ得る。前記光源の前記光学的放射線は、前記プレート状蛍光性物体において、可視光に変換される。前記プレート状蛍光性物体の前記各部は、前記少なくとも１つのレンズによって、前記ランプの前記出力部へ所定の方向に投影されている。
【０００９】
前記光源の前記光学的放射線を前記少なくとも１つの走査ミラーでシーケンシャルに前記プレート状蛍光性物体の異なる所定の部分へ向けることによって、正方形、ロゴなどのような所望の相対的に複雑な光ビーム形態が作成され得る。
【００１０】
前記光源の前記光学的放射線を前記少なくとも１つの走査ミラーで連続的に前記プレート状蛍光性物体の相対的に小さい所定の部分だけに向けることも可能であり、それによって、光スポットが作成される。前記スポットは、前記光源の前記光学的放射線を前記少なくとも１つの走査ミラーで前記プレート状蛍光性物体の別の相対的に小さい所定の部分へ向けることによって、再方向付けされ得る。
【００１１】
前記光源の前記光学的放射線が、前記少なくとも１つの走査ミラーで前記プレート状蛍光性物体上の特定の位置に向けられる場合には、前記プレート状蛍光性物体の前記特定の位置の部分が、過度に加熱され、前記ランプの寿命の減少をまねくかもしれない。前記プレート状蛍光性物体を回転させることによって、前記光源の前記光学的放射線は、依然として、前記少なくとも１つの走査ミラーで同じ特定の位置に向けられるが、前記プレート状蛍光性物体の同じ半径上の様々な部分を照明し、それによって、熱は、前記半径にわたって拡散されるだろう。
【００１２】
他の態様によれば、本発明は、前記プレート状蛍光性物体が、透過性であり、それによって、前記光源からの光学的放射線が、前記プレート状蛍光性物体を通って、前記少なくとも１つのレンズへ伝達されるランプを提供する。
【００１３】
透過性プレート状蛍光性物体により、前記ランプの構成は、相対的に単純になり、ここで、光源、蛍光性物体及び前記少なくとも１つのレンズの光軸は、同軸上に配置され得る。
【００１４】
他の態様によれば、本発明は、前記プレート状蛍光性物体の、光学的に前記光源の方へ向けられている側に、反射性偏光フィルタが配置されるランプを提供する。
【００１５】
偏光を持つ光源を用いる場合、前記偏光の一部は、前記透過性プレート状蛍光性物体を通って伝達されるだろうが、別の部分は、前記蛍光性物体によって前記光源の方へ反射されるだろう。反射光は、偏光されていないだろう。反射性偏光フィルタを用いることによって、偏光されていない反射光は、部分的に、前記偏光フィルタにより反射され、更に、前記蛍光性物体を通って伝達されるだろう。この方法においては、光学的放射線の損失は減らされる。
【００１６】
他の態様によれば、本発明は、前記光源が、右円偏光又は左円偏光した光学的放射線を発するのに適しており、前記反射性偏光フィルタが、反射性円偏光フィルタであるランプを提供する。
【００１７】
前記蛍光性物体を反射性円偏光フィルタと一緒に回転させる場合、前記円偏光した光学的放射線の一部は、前記反射性円偏光フィルタ及び前記蛍光性物体を通って伝達されるだろうが、別の部分は、前記蛍光性物体によって前記光源の方へ反射されるだろう。反射光学的放射線は、偏光されていないだろう。偏光されていない反射光学的放射線は、部分的に、前記偏光フィルタにより反射され、更に、前記蛍光性物体を通って伝達されるだろう。
【００１８】
他の態様によれば、本発明は、前記プレート状蛍光性物体の、光学的に前記光源の方へ向けられている側に、ダイクロイックフィルタが配置されるランプを提供する。
【００１９】
このようなダイクロイックフィルタによって、前記蛍光性物体により前記光源の方へ反射された光学的放射線は、ダイクロイックフィルタにより前記蛍光性物体の方へ反射され、更に、前記蛍光性物体を通って伝達されるだろう。
【００２０】
他の態様によれば、本発明は、前記プレート状蛍光性物体が、反射性であり、それによって、前記光源からの光学的放射線が、前記プレート状蛍光性物体によって、前記少なくとも１つのレンズへ反射されるランプを提供する。
【００２１】
反射性の蛍光性物体により、ほとんど全ての光学的放射線が、前記少なくとも１つのレンズの方へ反射され、光学的放射線は、前記蛍光性物体においてほとんど失われないだろう。
【００２２】
他の態様によれば、本発明は、前記光源が、光学的に、前記プレート状蛍光性物体の第１の側に配置され、前記少なくとも１つのレンズが、光学的に、前記プレート状蛍光性物体の第２の側に配置され、前記プレート状蛍光性物体が、前記光源によって発せられる光学的放射線を前記第１の側から前記第２の側へ案内するための開口部を具備するランプを提供する。
【００２３】
前記開口部により、前記第２の側において反射性であるプレート状蛍光性物体が用いられ得る一方で、前記光源が前記第１の側に配置され、相対的に単純なランプを供給する。
【００２４】
他の態様によれば、本発明は、前記少なくとも１つの走査ミラーが、前記少なくとも１つのレンズと前記第２の側との間に配置されるランプを提供する。
【００２５】
前記光源によって発せられる前記光学的放射線は、最初に、前記開口部を通過し、その後、前記少なくとも１つの走査ミラーによって前記蛍光性物体上の前記所望の部分に向けられるだろう。この方法においては、前記開口部は相対的に小さくてもよい。
【００２６】
他の態様によれば、本発明は、前記少なくとも１つの走査ミラーが、前記第１の側に配置され、前記少なくとも１つのレンズと前記第２の側との間に付加的なミラーが配置されるランプを提供する。
【００２７】
この方法においては、機械的なシンプルさのために、前記少なくとも１つの走査ミラーが相対的に前記光源の近くに配置され得る。
【００２８】
他の態様によれば、本発明は、前記プレート状蛍光性物体が蛍光体を具備するランプを提供する。
【００２９】
蛍光体は、容易に、前記プレート状蛍光性物体を得るようプレート状素子に塗布され得る。更に、蛍光体により、光源、例えば、レーザからの光学的放射線は、容易に、所望の波長を持つ光に変換され得る。
【００３０】
他の態様によれば、本発明は、前記プレート状蛍光性物体が、様々な蛍光体を所定のパターンで具備するランプを提供する。
【００３１】
前記光源の前記光学的放射線は、前記少なくとも１つの走査ミラーにより、例えば特定の色を生成するための所望の蛍光体に向けられ得る。前記プレート状蛍光性物体が回転される場合、前記所望の蛍光体を備える部分は、照明される前に前記所望の位置へ動かされ得る。
【００３２】
他の態様によれば、本発明は、前記光源が、青色レーザ又はＵＶレーザであるランプを提供する。
【００３３】
このような光源は、光に相対的に高い演色評価数（ＣＲＩ）を与え、手頃な価格で容易に入手可能である。
【００３４】
他の態様によれば、本発明は、前記光源が、強度において変調されることができるランプを提供する。
【００３５】
この方法においては、例えば複数の異なる光ビーム又はあり得るものが複雑な光パターンを書くことを可能にするために変調光学的放射線を得ることが可能である。
【００３６】
他の態様によれば、本発明は、前記光源によって発せられる前記光学的放射線の波長が調節可能であるランプを提供する。
【００３７】
この方法においては、前記光学的放射線の波長に依存して前記蛍光性物体において異なる変換が生じ、例えば、冷白色又は温白色の光を得るよう、異なる色温度が得られ得る。
【００３８】
他の態様によれば、本発明は、前記ランプが、前記レーザ、前記少なくとも１つの走査ミラー、及び／又は前記プレート状蛍光性物体に対して垂直に延在する中心軸を中心とする前記プレート状蛍光性物体の回転を制御するための制御装置を有し、前記中心軸が、前記少なくとも１つのレンズの前記光軸と一致するランプを提供する。
【００３９】
前記制御装置により、前記光源の波長が調節されることができ、且つ／又は前記光源の強度が変調されることができる。更に、前記制御装置により、前記プレート状蛍光性物体の各所望の部分へ前記光学的放射線を走査するための前記少なくとも１つの走査ミラーの動きが制御され得る。前記プレート状蛍光性物体が回転される場合、前記回転は、前記制御装置により頻度及び位置において制御されることができ、前記蛍光性物体の回転により、前記蛍光性物体の、所望の蛍光体を備える部分が、所望の位置に存在し得る間、強度において変調されており、所望の波長を持つ所望の光学的放射線が、各位置に向けられ得るように、前記光源及び前記少なくとも１つの走査ミラーの制御と同期させられ得る。
【００４０】
他の態様によれば、本発明は、ランプを用いる方法であって、
ａ）  光源によって光学的放射線を発するステップと、
ｂ）  光学的放射線の少なくとも一部を、少なくとも１つの走査ミラー、プレート状蛍光性物体及び少なくとも１つのレンズを介して、ランプの出力部へ伝達するステップとを有する方法を提供する。
【００４１】
この方法により、正方形、ロゴなどのような相対的に複雑な光ビーム形態又は再方向付け可能なスポットが作成され得る。
【００４２】
ここで、本発明の現在好ましい実施例を示す添付の図面を参照して、本発明のこれら及び他の態様をより詳細に記載する。
【図面の簡単な説明】
【００４３】
【図１】透過性プレート状蛍光性物体を備える本発明によるランプの第１実施例の概略図を示す。
【図２】透過性プレート状蛍光性物体及び偏光フィルタを備える本発明によるランプの第２実施例の概略図を示す。
【図３】開口部を有する反射性プレート状蛍光性物体を備える本発明によるランプの第３実施例の概略図を示す。
【図４】開口部を有する反射性プレート状蛍光性物体を備える本発明によるランプの第４実施例の概略図を示す。
【図５】開口部を有する反射性プレート状蛍光性物体を備える本発明によるランプの第５実施例の概略図を示す。
【図６】反射性プレート状蛍光性物体を備え、開口部を備えない本発明によるランプの第６実施例の概略図を示す。
【図７】反射性プレート状蛍光性物体を備え、開口部を備えない本発明によるランプの第７実施例の概略図を示す。
【発明を実施するための形態】
【００４４】
図面において、同様の参照符号は、同様の要素を指す。
【００４５】
図１は、光源２と、少なくとも１つのモーターＭ１によって駆動されている少なくとも１つの走査ミラー３と、プレート状蛍光性物体４と、少なくとも１つのレンズ５とを有する本発明によるランプ１の第１実施例の概略図を示している。プレート状蛍光性物体４は、モーターＭ２によって、回転軸６を中心にして矢印Ｒによって示されているような方向に、回転可能である。回転軸６は、プレート状蛍光性物体４に対して垂直に延在する。
【００４６】
理解しやすいように、走査ミラー３及び１つのモーターＭ１しか示されていないが、光源２によって発せられる光学的放射線をプレート状蛍光性物体４上の任意の所望の位置へ動かすために多くのモーターを備える走査ミラーの任意の所望のセットが用いられ得ることを当業者は理解するだろう。
【００４７】
プレート状蛍光性物体４は、光源２によって発せられる光学的放射線に対して透過性である。
【００４８】
理解しやすいように、１つのレンズ５しか示されていないが、レンズの任意の所望のセットが用いられ得ることを当業者は理解するだろう。回転軸６は、レンズ５の光軸７と同軸である。
【００４９】
光源２は、調節可能な波長及び変調強度を備えるレーザである。光源２は、制御装置Ｃによって制御されている。走査ミラー３及び回転可能なプレート状蛍光性物体４のモーターＭ１、Ｍ２も、制御装置Ｃによって制御される。
【００５０】
プレート状蛍光性物体４は、様々な蛍光体を所定のパターンで具備する。
【００５１】
本発明によるランプ１を動作させるとき、光源２は、所望の波長及び強度を備える光学的放射線を走査ミラー３の方へ発する。前記光学的放射線を有する光ビーム８は、例えば１ミリメートルの直径を持つ。前記光ビーム８は、走査ミラー３によって、プレート状蛍光性物体４上の所望の位置の方へ向けられ、それは、レンズ５によってランプ１の出力部９の方へ投影されるだろう。前記所望の位置は、例えば、光源２又はレンズ５に対して所定の座標を持つ位置であり、プレート状蛍光性物体４の回転角度とは無関係である。プレート状蛍光性物体４の回転を制御することによって、プレート状蛍光性物体４の、所望の蛍光体パターンを持つ部分が、光ビーム８がプレート状蛍光性物体４の前記所望の部分に当たるように、所望の位置の方へ動かされ得る。照明された部分は、次いで、レンズ５によってランプ１の出力部９の方へ投影される。
【００５２】
プレート状蛍光性物体４は、例えば、１乃至１０センチメートルの範囲内の直径を持つ。
【００５３】
光源２及び走査ミラー３の動作、並びにプレート状蛍光性物体４の回転は、各時点に、所望の位置において、所望の光ビーム８が、プレート状蛍光性物体４に所望の部分において当たるだろうように、制御装置によって制御されている。
【００５４】
光源２は、例えば６０乃至５００ヘルツの範囲内の頻度でプレート状蛍光性物体４にわたって走査され得る。プレート状蛍光性物体４は、例えば１乃至１０ヘルツの範囲内の頻度で回転され得る。
【００５５】
図２乃至７は、本発明によるランプの他の実施例の概略図を示している。これらの図には、モーターＭ１、Ｍ２及び制御装置Ｃは示されていないが、これらの実施例は、全て、モーターＭ１、Ｍ２及び制御装置Ｃを有する。
【００５６】
図２は、本発明によるランプ２１の第２実施例の概略図を示しており、前記ランプ２１は、プレート状蛍光性物体４の、光学的に光源２の方へ向けられている側に位置する反射性円偏光フィルタ２２を具備する点で、ランプ１と異なる。反射性円偏光フィルタ２２は、プレート状蛍光性物体４に、それから１センチメートル未満の短い距離を置いて、接続され、回転軸６を中心にして矢印Ｒによって示されている方向にプレート状蛍光性物体４と一緒に回転可能である。光源２は、反射性円偏光フィルタ２２と同様の右回り又は左回りである円偏光した光学的放射線を発するのに適している。
【００５７】
走査ミラー３によって所望の位置へ向けられた円偏光した光ビーム８は、反射性円偏光フィルタ２２を通過し、部分的に、プレート状蛍光性物体４を通して伝達されるだろう。光ビーム８の一部２３は、プレート状蛍光性物体４によって反射されるだろう。光ビーム８のこの一部２３は、偏光されておらず、反射性円偏光フィルタ２２によって一部２４としてプレート状蛍光性物体４の方へ反射され、プレート状蛍光性物体４を通して伝達されるだろう。少ない一部２５は、反射性円偏光フィルタ２２を通過し、失われるだろう。しかしながら、ランプ１によるもの比べて、より少ない光学的放射線しかなくならないだろう。例えば、円偏光した光ビームが右回りである場合には、光ビーム８の、プレート状蛍光性物体４によって反射された部分２３は、部分的に右回りであり、部分的に左回りであるだろう。右回り部分２５は、反射性円偏光フィルタ２２を通過し、失われるだろう。左回り部分２４は、反射性円偏光フィルタ２２によってプレート状蛍光性物体４の方へ反射されるだろう。光ビーム８の、プレート状蛍光性物体４によって反射された部分２３の５０％が、反射性円偏光フィルタ２２によって、プレート状蛍光性物体４の方へ反射されるだろう。
【００５８】
図３は、本発明によるランプ３１の第３実施例の概略図を示しており、前記ランプ３１は、中央開口部３５を有する反射性プレート状蛍光性物体３４を具備する点で、ランプ１と異なる。
【００５９】
走査ミラー３は、レンズ５の近く、且つ光軸７の近くに位置する。
【００６０】
ランプ３１を動作させるとき、光源２は、光ビーム８のような光学的放射線を発する。光ビーム８は、開口部３５を通過し、次いで、走査ミラー３によってプレート状蛍光性物体３４の反射性の側面上の所望の位置の方へ向けられる。プレート状蛍光性物体３４の照明された部分は、次いで、レンズ５によってランプ３１の出力部９の方へ投影される。
【００６１】
図３は、本発明によるランプ４１の第４実施例の概略図を示しており、前記ランプ４１は、光源２及び走査ミラー３の位置により、ランプ３１と異なる。光源２によって発せられる光ビーム８は、プレート状蛍光性物体４と約４５度の角度Ａを囲む。
【００６２】
走査ミラー３は、プレート状蛍光性物体３４とレンズ５との間に、光軸７から或る距離をおいて、配置される。
【００６３】
ランプ４１を動作させるとき、光源２は、光ビーム８のような光学的放射線を発する。光ビーム８は、開口部３５を通過し、次いで、走査ミラー３によってプレート状蛍光性物体３４の反射性の側面上の所望の位置の方へ向けられる。プレート状蛍光性物体３４の照明された部分は、次いで、レンズ５によってランプ４１の出力部９の方へ投影される。
【００６４】
図５は、本発明によるランプ５１の第５実施例の概略図を示しており、前記ランプ５１は、走査ミラー３の位置及びレンズ５の近く且つレンズ５の光軸７の近くの付加的な球面鏡５２により、ランプ４１と異なる。走査ミラー３は、相対的に光源の近くに、且つ開口部３５の近くに、配置される。
【００６５】
ランプ５１を動作させるとき、光源２は、光ビーム８のような光学的放射線を発する。光ビーム８は、走査ミラー３によって、開口部３５を通って付加的な球面鏡５２の方へ向かうよう方向づけられる。光ビーム８は、付加的な球面鏡５２によって、プレート状蛍光性物体３４の反射性の側面上の所望の位置の方へ反射される。プレート状蛍光性物体３４の照明された部分は、レンズ５によってランプ５１の出力部９の方へ投影される。
【００６６】
図６は、本発明によるランプ６１の第６実施例の概略図を示しており、前記ランプ６１は、プレート状蛍光性物体６４が、プレート状蛍光性物体４のような透過性ではなく、反射性である点で、ランプ１と異なる。更に、レーザ２及び走査ミラー３は、光源２からの光ビーム８を走査ミラー３を介してプレート状蛍光性物体６４の反射性の側面上に向けることができるように、配置される。プレート状蛍光性物体６４の反射性の側面は、光学的にレンズ５の方へ向けられている。ランプ６１によれば、光源２及び走査ミラー３は、光軸７の同じ側において、プレート状蛍光性物体６４より上に配置される。
【００６７】
図７は、本発明によるランプ７１の第７実施例の概略図を示しており、前記ランプ７１は、光源２と走査ミラー３とが光軸７の異なる側に配置され、光源２からの光ビーム８が光軸７に対して垂直に向けられる点で、ランプ６１と異なる。
【００６８】
光源はまた、青色レーザ又はＵＶレーザであり得る。
【００６９】
プレート状蛍光性物体が、プレート状蛍光性物体全体にわたって同じ蛍光体を具備することもあり得る。
【００７０】
プレート状蛍光性物体が回転されるものではないこともあり得る。光源が、１ワット及び１ミリメートルの直径を備える別の非常にクリアな光源、例えば、luxeon（登録商標）光源であることもあり得る。
【００７１】
１つより多くの光源を用いることも可能であり、それによって、各光源の光学的放射線が、走査ミラーによって、蛍光性物体の所望の部分へ向けられ得る。
【００７２】
蛍光性物体４が全く回転されないものである場合には、プレート状蛍光性物体４は、正方形又は矩形プレートで作成されてもよい。
【００７３】
当業者は、本発明は決して好ましい実施例に限定されないことを理解するだろう。請求項に記載の発明を実施する当業者は、図面、明細及び添付の請求項の研究から、開示されている実施例に対する他の変形を、理解し、達成し得る。
【００７４】
請求項において、「有する」という用語は、他の要素又はステップを除外せず、単数形表記は、複数の存在を除外しない。単に、特定の手段が、相互に異なる従属請求項において引用されているという事実は、これらの手段の組み合わせが有利になるように用いられることができないことを示すものではない。特許請求の範囲内の如何なる参照符号も、請求項の範囲を限定するものとして解釈されるべきではない。
【符号の説明】
【００７５】
１    ランプ
２    光源
３    走査ミラー
４    プレート状蛍光性物体
５    レンズ
６    中心軸
７    光軸
８    光ビーム
９    出力部
２１  ランプ
２２  偏光フィルタ
２３  光ビームの一部
２４  光ビームの一部
２５  光ビームの一部
３１  ランプ
３４  プレート状蛍光性物体
３５  開口部
４１  ランプ
５１  ランプ
５２  球面鏡
６１  ランプ
６４  プレート状蛍光性物体
７１  ランプ
Ａ    角度
Ｃ    制御装置
Ｍ１  モーター
Ｍ２  モーター
Ｒ    矢印
【図１】
2017504075.tif 000003
【図２】
2017504075.tif 000004
【図３】
2017504075.tif 000005
【図４】
2017504075.tif 000006
【図５】
2017504075.tif 000007
【図６】
2017504075.tif 000008
【図７】
2017504075.tif 000009
【国際調査報告】
2017504075.tif 000010
2017504075.tif 000011